(57)【要約】【課題】  反転動作の効率の向上を考慮した媒体反転装置を提供すること。【解決手段】  媒体反転装置（５）は、回転する回転体（８）と、該回転体（８）における該回転体（８）の回転支点の周りに複数設けられたローラー（２２〜２４）と、を備え、該複数のローラー（２２〜２４）は、前記回転体（８）が回転する際、それぞれ順に送り方向上流側から送られてきた被送り媒体（Ｐ）を、一の方向へ回転することにより該被送り媒体（Ｐ）の送り方向下流側（Ｙ）である先端側から巻き、前記一の方向と逆方向へ回転することにより巻いた前記被送り媒体（Ｐ）を解き、該被送り媒体（Ｐ）を巻いたときの後端を先頭にして送り方向下流側（Ｙ）へ送ることを特徴とする。【選択図】図２
2011006193.tif 000002
【特許請求の範囲】
【請求項１】
回転する回転体と、
該回転体における該回転体の回転支点の周りに複数設けられたローラーと、を備え、
該複数のローラーは、
前記回転体が回転する際、それぞれ順に送り方向上流側から送られてきた被送り媒体
を、一の方向へ回転することにより該被送り媒体の送り方向下流側である先端側から巻き
、
前記一の方向と逆方向へ回転することにより巻いた前記被送り媒体を解き、該被送り
媒体を巻いたときの後端を先頭にして送り方向下流側へ送ることを特徴とする媒体反転装
置。
【請求項２】
回転する回転体と、
該回転体における該回転体の回転支点の周りに複数設けられ、前記回転体が回転する際
、それぞれ順に送り方向上流側から送られてきた被送り媒体を該被送り媒体の送り方向下
流側である先端側から巻くローラーと、
一の前記ローラーに巻かれた被送り媒体の後端を先頭にして送り方向下流側へ送りなが
ら該被送り媒体を前記一のローラーから解く送り手段と、を備えていることを特徴とする
媒体反転装置。
【請求項３】
請求項１または２に記載の媒体反転装置において、一の前記ローラーに巻かれた被送り
媒体が前記送り手段によって解かれる位置に前記一のローラーが位置する際、
他の前記ローラーは、前記送られてきた被送り媒体を該被送り媒体の先端側から巻き始
める位置に位置する構成である媒体反転装置。
【請求項４】
請求項１乃至３のいずれか１項に記載の媒体反転装置において、前記複数のローラーは
、前記回転体の回転方向において、等間隔に配設されていることを特徴とする媒体反転装
置。
【請求項５】
請求項１乃至４のいずれか１項に記載の媒体反転装置において、前記回転体の回転支点
に設けられ、媒体反転装置に対して固定された太陽ギアと、
前記ローラーに設けられ、前記太陽ギアと噛み合う遊星ギアと、を有する媒体反転装置
。
【請求項６】
請求項５に記載の媒体反転装置において、前記太陽ギアの外周において、歯部と、歯無
し部と、が設けられており、
被送り媒体を前記ローラーから解く際、該ローラーに設けられた前記遊星ギアは、前記
歯無し部と対向する構成であることを特徴とする媒体反転装置。
【請求項７】
被記録媒体に対して記録する記録部と、
被記録媒体の表裏を反転する反転部と、を備えた記録装置であって、
前記反転部は、請求項１乃至６のいずれか１項に記載された媒体反転装置を備えている
ことを特徴とする記録装置。
【発明の詳細な説明】
【技術分野】
【０００１】
本発明は、被送り媒体の表裏を反転する媒体反転装置および該媒体反転装置を備えた記
録装置に関する。  
本願において、記録装置には、インクジェットプリンター、ワイヤドットプリンター、
レーザープリンター、ラインプリンター、複写機、ファクシミリ等の種類が含まれるもの
とする。
【背景技術】
【０００２】
従来では、特許文献１に示す如く、記録装置は、被送り媒体の一例である用紙の表裏を
反転する媒体反転装置としての用紙反転ユニットを備えていた。従来技術における第１の
形態の用紙反転ユニットは、二股に分かれた用紙の送り経路を有していた。そして、二股
の一方から二股の合流地点へ向かって用紙を送り、用紙が前記合流地点を通過した位置で
用紙を停止させていた。その後、用紙の進行方向を逆にして、用紙を前記合流地点側へ送
り、前記二股の他方へ送っていた。これにより、前記二股の一方に位置した用紙の状態に
対して、前記二股の他方では用紙の表裏を反転させた状態にすることができた。所謂、ス
イッチバックによる反転方式である。
【０００３】
また、従来技術における第２の態様の用紙反転ユニットは、側視略環状の送り経路を有
し、送り経路の一端側から用紙を進入させ宙返りさせていた。そして、他端側から用紙を
退出させることにより、用紙の表裏を反転することができた。所謂、Ｕ字経路により反転
させる方式である。
【発明の概要】
【発明が解決しようとする課題】
【０００４】
しかしながら、前記従来技術における第１の態様の用紙反転ユニットは、先行する用紙
を前記二股の他方へ送った後でなければ、後続の用紙を送ることができない。即ち、先行
する用紙の表裏反転が完了した後でなければ、後続の用紙の表裏反転を開始することがで
きない。従って、効率よく連続して表裏反転をすることが困難である。  
また、前記従来技術における第２の態様の用紙反転ユニットは、側視略環状の送り経路
の長さが用紙の長さ分となるように設定されている。従って、先行する用紙の表裏反転が
完了した後でなければ、後続の用紙の表裏反転を開始することができない。そのため、前
記第１の態様と同様、効率よく連続して表裏反転をすることが困難である。
【０００５】
本発明は、このような状況に鑑み成されたものであり、その課題は、反転動作の効率の
向上を考慮した媒体反転装置および該媒体反転装置を備えた記録装置を提供することであ
る。
【課題を解決するための手段】
【０００６】
上記課題を達成するため、本発明の第１の態様の媒体反転装置は、回転する回転体と、
該回転体における該回転体の回転支点の周りに複数設けられたローラーと、を備え、該複
数のローラーは、前記回転体が回転する際、それぞれ順に送り方向上流側から送られてき
た被送り媒体を、一の方向へ回転することにより該被送り媒体の送り方向下流側である先
端側から巻き、前記一の方向と逆方向へ回転することにより巻いた前記被送り媒体を解き
、該被送り媒体を巻いたときの後端を先頭にして送り方向下流側へ送ることを特徴とする
。
【０００７】
本発明の第１の態様によれば、前記ローラーは前記一の方向へ回転することにより、該
ローラーに被送り媒体の先端側から巻き付けることができる。そして、前記逆方向へ回転
することにより、巻き付いた被送り媒体を後端側から解くことができる。この際、該後端
を先頭にして送り方向下流側へ送ることができる。その結果、被送り媒体の表裏を反転さ
せることができる。
【０００８】
さらに、前記ローラーは複数設けられているので、一のローラーに被送り媒体を巻き付
けることができる。そして、該一のローラーが巻き付いた被送り媒体を解いて送り方向下
流側へ送ることにより、被送り媒体の表裏を反転させることができる。この際、他のロー
ラーは、送り方向上流側から送られてきた後続の被送り媒体を巻き始めることができる。
【０００９】
即ち、先行する被送り媒体の表裏反転が完了する前に、後続の被送り媒体の表裏反転動
作を開始することができる。従って、従来の所謂、スイッチバックによる反転方式やＵ字
経路による反転方式と比較して、先行する被送り媒体が表裏反転されてから、後続の被送
り媒体が表裏反転されるまでの時間を短くすることができる。その結果、前記時間を短く
した分、反転動作の効率を向上させることができる。
【００１０】
本発明の第２の態様の媒体反転装置は、回転する回転体と、該回転体における該回転体
の回転支点の周りに複数設けられ、前記回転体が回転する際、それぞれ順に送り方向上流
側から送られてきた被送り媒体を該被送り媒体の送り方向下流側である先端側から巻くロ
ーラーと、一の前記ローラーに巻かれた被送り媒体の後端を先頭にして送り方向下流側へ
送りながら該被送り媒体を前記一のローラーから解く送り手段と、を備えていることを特
徴とする。
【００１１】
本発明の第２の態様によれば、前記ローラーは複数設けられており、一のローラーに被
送り媒体を巻き付けることができる。そして、前記送り手段が前記一のローラーに巻き付
いた被送り媒体を解いて送り方向下流側へ送ることにより、被送り媒体の表裏を反転させ
ることができる。この際、他のローラーは、送り方向上流側から送られてきた後続の被送
り媒体を巻き始めることができる。  
その結果、第１の態様と同様の作用効果を得ることができる。
【００１２】
本発明の第３の態様は、第１または第２の態様において、一の前記ローラーに巻かれた
被送り媒体が前記送り手段によって解かれる位置に前記一のローラーが位置する際、他の
前記ローラーは、前記送られてきた被送り媒体を該被送り媒体の先端側から巻き始める位
置に位置する構成であることを特徴とする。  
本発明の第３の態様によれば、第１または第２の態様と同様の作用効果に加え、前記一
のローラーに巻き付いた先行する被送り媒体を前記送り手段が解いて送り方向下流側へ送
ることと、後続の被送り媒体を前記他のローラーが巻き付けることとの両方を実行するこ
とができる。前記解いて送り方向下流側へ送る際、および前記巻き付ける際に前記回転体
を停止させる構成である場合、停止させた際に両方を実行することができるので、一方の
みしか実行できない構成と比較して、時間のロスを小さくすることができる。
【００１３】
本発明の第４の態様は、第１から第３のいずれか一の態様において、前記複数のローラ
ーは、前記回転体の回転方向において、等間隔に配設されていることを特徴とする。  
ここで、「等間隔」は、略等間隔であればよく、部材精度による多少の誤差を含む概念
である。  
本発明の第４の態様によれば、第１から第３のいずれか一の態様と同様の作用効果に加
え、前記複数のローラーを前記等間隔に配設することにより、前記解いて送り方向下流側
へ送ることおよび前記巻き付けることの両方を略同時に実行する構成に容易にすることが
できる。
【００１４】
本発明の第５の態様は、第１から第４のいずれか一の態様において、前記回転体の回転
支点に設けられ、媒体反転装置に対して固定された太陽ギアと、前記ローラーに設けられ
、前記太陽ギアと噛み合う遊星ギアと、を有することを特徴とする。  
本発明の第５の態様によれば、第１から第４のいずれか一の態様と同様の作用効果に加
え、前記太陽ギアと、前記遊星ギアとを有しているので、前記回転体を回転させることに
よって、前記ローラーをも回転させることができる。即ち、簡単な構成で前記ローラーま
での動力伝達機構を構成することができる。
【００１５】
本発明の第６の態様は、第５の態様において、前記太陽ギアの外周において、歯部と、
歯無し部と、が設けられており、被送り媒体を前記ローラーから解く際、該ローラーに設
けられた前記遊星ギアは、前記歯無し部と対向する構成であることを特徴とする。  
本発明の第６の態様によれば、第５の態様と同様の作用効果に加え、被送り媒体を前記
ローラーから解く際、前記ローラーを回転自在な状態にすることができる。その結果、前
記送り手段を有する場合は、容易に前記ローラーから被送り媒体を解いて送り方向下流側
へ送ることができる。即ち、前記太陽ギアおよび前記遊星ギアの構成が、前記送り手段の
動作を妨げる虞がない。  
また、前記送り手段を有しない場合であっても、前記ローラーを回転自在な状態にする
ことができるので、前記太陽ギアとは別の動力伝達手段を設けることにより、前記ローラ
ーを逆方向へ回転させて被送り媒体を解くことができる。
【００１６】
本発明の第７の態様の記録装置は、被記録媒体に対して記録する記録部と、被記録媒体
の表裏を反転する反転部と、を備えた記録装置であって、前記反転部は、上記第１から第
６のいずれか一の態様の媒体反転装置を備えていることを特徴とする。  
本発明の第７の態様によれば、前記反転部は、上記第１から第６のいずれか一の態様の
媒体反転装置を備えている。従って、前記記録装置は、上記第１から第６のいずれか一の
態様と同様の作用効果を得ることができる。
【図面の簡単な説明】
【００１７】
【図１】本発明に係るプリンターの概略を示す概略側面図。
【図２】本発明に係る反転部を示す斜視図。
【図３】本発明に係る反転部を用紙の幅方向一端側から見た概略側面図。
【図４】本発明に係る反転部を用紙の幅方向他端側から見た概略側面図。
【図５】本発明に係る回転ドラムが３０度回転した状態を示す概略側面図。
【図６】本発明に係る回転ドラムが約７７度回転した状態を示す概略側面図。
【図７】本発明に係る回転ドラムが１２０度回転した状態を示す概略側面図。
【図８】本発明に係る回転ドラムが１８０度回転した状態を示す概略側面図。
【図９】本発明に係る回転ドラムが２４０度回転した状態を示す概略側面図。
【図１０】本発明に係る反転部において用紙が解かれる様子を示す概略側面図。
【図１１】他の実施形態１に係る排出ローラーの揺動機構を示す概略側面図。
【図１２】（Ａ）（Ｂ）は他の実施形態２に係る反転部の動作を示す概略側面図。
【図１３】他の実施形態３に係る反転部を用紙の幅方向一端側から見た概略側面図。
【図１４】他の実施形態３に係る反転部を用紙の幅方向他端側から見た概略側面図。
【図１５】他の実施形態４に係る反転部を用紙の幅方向一端側から見た概略側面図。
【発明を実施するための形態】
【００１８】
以下、本発明の実施の形態を図面に基づいて説明する。  
図１に示すのは、本発明に係る「記録装置」或いは「液体噴射装置」の一例としてのイ
ンクジェットプリンター（以下「プリンター」と言う）１の内部の概略を示す概略側面図
である。  
ここで、液体噴射装置とは、液体噴射ヘッドとしての記録ヘッドから記録紙等の被記録
材へインクを噴射して被記録材への記録を実行するインクジェット式記録装置、複写機及
びファクシミリ等の記録装置に限らず、インクに代えて特定の用途に対応する液体を前述
した記録ヘッドに相当する液体噴射ヘッドから、被記録材に相当する被噴射材に噴射して
、液体を被噴射材に付着させる装置を含む意味で用いる。
【００１９】
またさらに、液体噴射ヘッドとしては、前述した記録ヘッド以外に、液晶ディスプレイ
等のカラーフィルター製造に用いられる色材噴射ヘッド、有機ＥＬディスプレイや面発光
ディスプレイ（ＦＥＤ）等の電極形成に用いられる電極材（導電ペースト）噴射ヘッド、
バイオチップ製造に用いられる生体有機物噴射ヘッド、精密ピペットとしての試料を噴射
する試料噴射ヘッド等が挙げられる。
【００２０】
図１に示す如く、プリンター１は、載置部２と、給送部３と、第１記録部４と、反転部
５と、第２記録部６と、排出部７とを備えている。このうち、載置部２は、用紙Ｐを載置
することができるように設けられている。また、給送部３は、載置された用紙Ｐをピック
アップして図示しないローラー等の送り手段によって用紙Ｐを送り方向下流側（Ｙ軸の矢
印方向）へ送ることができるように設けられている。
【００２１】
そして、用紙Ｐは、記録モードに応じてフラップ等により第１経路Ｒ１〜第４経路Ｒ４
に振り分けられる。第１経路Ｒ１〜第３経路Ｒ３に振り分けられた場合は、第１記録部４
へ送られる。第１記録部４は、複数の記録ユニット４ａ、４ａ…を有し、それぞれ用紙Ｐ
の一の面である表面に対して記録することができるように構成されている。第１記録部４
において記録された用紙Ｐは、送り方向下流側の反転部５へ送られる。また、第４経路Ｒ
４に振り分けられた用紙Ｐも反転部５へ送られる。  
尚、用紙Ｐが第４経路Ｒ４に振り分けられるのは、一の面を表面とした場合の裏面であ
る第２の面のみに対して第２記録部６において記録が実行されるモードの場合、または、
第２記録部６において表面のみに対して記録が実行されるモードの場合である。
【００２２】
反転部５は、送り方向上流側から送られてきた用紙Ｐを必要に応じて表裏反転すること
ができるように構成されている。表裏反転する場合、反転部５は、用紙Ｐを反転させ、用
紙Ｐを第５経路Ｒ５へ送る。尚、反転部５の詳しい構成および反転する際の動作について
は後述する。  
一方、表裏反転しない場合、反転部５は、そのまま用紙Ｐを通過させる。そして、用紙
Ｐは、第６経路Ｒ６によってさらに送り方向下流側へ送られる。
【００２３】
反転部５から送られた用紙Ｐは、第７経路Ｒ７〜第９経路Ｒ９によって第２記録部６へ
送られる。第２記録部６は、前述した第１記録部４と同様に複数の記録ユニット６ａ、６
ａ…を有し、用紙Ｐに対して記録することができるように構成されている。反転部５にお
いて表裏反転された場合、第２記録部６は、裏面である第２の面に対して記録を実行する
ように設けられている。
【００２４】
一方、反転部５において表裏反転されなかった場合、即ち、第４経路Ｒ４および第６経
路Ｒ６を通過して送られてきた場合、第２記録部６は、表面である第１の面に対して記録
を実行するように設けられている。そして、第２記録部６において記録された用紙Ｐは、
送り方向下流側である排出部７へ送られる。また、第６経路Ｒ６から第１０経路Ｒ１０へ
送られた用紙Ｐも、排出部７へ送られる。
【００２５】
尚、用紙Ｐが第１０経路Ｒ１０に振り分けられるのは、第１記録部４において表面のみ
に対して記録が実行されるモードの場合である。  
排出部７は、第２記録部６から送られてきた用紙Ｐおよび第１０経路Ｒ１０によって送
られてきた用紙Ｐをトレイ上に排出することができるように構成されている。例えば、そ
れぞれのモード毎や、部数毎に仕分けすることができるように複数のトレイを有している
。
【００２６】
続いて、反転部５の構成について説明した後に動作について詳しく説明する。  
図２に示すのは、本発明に係る反転部を示す斜視図である。また、図３に示すのは、本
発明に係る反転部を用紙の幅方向一端側から見た概略側面図である。またさらに、図４に
示すのは、本発明に係る反転部を用紙の幅方向他端側から見た概略側面図である。  
図２〜図４に示す如く、反転部５は、第１送り手段としての第１搬送ローラー対４６と
、回転ドラム８と、第２送り手段としての排出ローラー３９と、第３送り手段としての第
２搬送ローラー対４８とを備えている。
【００２７】
このうち、第１搬送ローラー対４６は、図示しないモーターの動力によって駆動するこ
とができるように設けられている。そして、第１用紙ガイド部４７によって案内されなが
ら送られてきた用紙Ｐを、送り方向下流側の回転ドラム８へ送ることができるように構成
されている。  
尚、第１搬送ローラー対４６のローラーと軸との間には、一の回転方向への相対的な回
転を許容する構造である、所謂、ワンウェイクラッチが内蔵されている。回転ドラム側に
よって用紙Ｐが送り方向下流側へ引っ張られたとき、用紙Ｐへのダメージを防止するため
である。
【００２８】
具体的には、送り方向下流側へ用紙Ｐを送るときの回転方向への第１搬送ローラー対４
６のローラーの回転を許容するように設けられている。即ち、第１搬送ローラー対４６に
よって用紙Ｐを所定の速度Ｖ１で送ることができるが、回転ドラム側が速度Ｖ１より速い
速度Ｖ２で用紙Ｐを引っ張ったとき、第１搬送ローラー対４６はそれを許容することがで
きるように構成されている。
【００２９】
また、第１搬送ローラー対４６と回転ドラム８との間には、センサー５０が設けられて
いる。センサー５０は、用紙Ｐの先端および後端を検出することができるように構成され
ている。  
尚、センサー５０は、発光部および受光部を有する非接触式の光センサーでもよいし、
レバー等を有し該レバーが用紙を接触して揺動することによって検出する接触式の機械セ
ンサーでもよい。
【００３０】
またさらに、回転ドラム８は、回転支点を支点に回転することができ、用紙Ｐを送り方
向下流側である先端側から巻き付けることができるように設けられている。具体的には、
回転ドラム８は、回転ドラム８の回転支点の周囲に第１巻き付けローラー２２〜第３巻き
付けローラー２４を有している。第１巻き付けローラー２２〜第３巻き付けローラー２４
は、回転ドラム８に対して回転することができるように設けられている。そして、第１巻
き付けローラー２２〜第３巻き付けローラー２４が、送り方向上流側から送られてきた用
紙Ｐを、巻き付けることができるように設けられている。  
尚、巻き付けローラーの数はいくつでもよい。本実施例では３つの構成として説明する
。
【００３１】
また、図３に示す如く、回転ドラム８は、第２動力伝達手段４５と、第１案内部１６〜
第３案内部１８と、第１挟圧ローラー１９〜第３挟圧ローラー２１と、第１外周面部１０
〜第３外周面部１２とを備えている。  
このうち、第２動力伝達手段４５は、モーター４０の動力を第１巻き付けローラー２２
〜第３巻き付けローラー２４へ伝達することができるように設けられている。
【００３２】
具体的には、第１巻き付けローラー２２〜第３巻き付けローラー２４にそれぞれ対応す
る第１遊星ギア２５〜第３遊星ギア２７と、太陽ギア９とを有している。このうち、第１
遊星ギア２５〜第３遊星ギア２７は、それぞれ第１巻き付けローラー２２〜第３巻き付け
ローラー２４と一体に回動することができるように構成されている。また、回転ドラム８
の回転支点の位置に固定して設けられた太陽ギア９と噛み合うことができるように設けら
れている。
【００３３】
また、太陽ギア９の外周には、歯部９ａと、歯無し部９ｂとが設けられている。従って
、第１遊星ギア２５〜第３遊星ギア２７が太陽ギア９の歯部９ａと噛み合っている場合、
回転ドラム８が回転することによって太陽ギア９から動力を受け、それぞれ第１巻き付け
ローラー２２〜第３巻き付けローラー２４は回転することができる。一方、第１遊星ギア
２５〜第３遊星ギア２７が太陽ギア９の歯無し部９ｂと対向している場合、太陽ギア９か
ら動力を受けないため、第１巻き付けローラー２２〜第３巻き付けローラー２４は回動自
在な所謂、フリーな状態となる。
【００３４】
またさらに、第１案内部１６〜第３案内部１８は、それぞれ第１巻き付けローラー２２
〜第３巻き付けローラー２４の外周と僅かな間隔をあけて該外周に沿って形成されている
。また、第１案内部１６〜第３案内部１８の端部１６ａ〜１８ａは、回転ドラム８の外周
上に位置し、送り方向上流側から送られてきた用紙Ｐの先端を取り込みやすくするために
外側に広がって形成されている。従って、用紙Ｐが第１巻き付けローラー２２〜第３巻き
付けローラー２４に巻き付くように該用紙Ｐを案内することができる。
【００３５】
また、第１挟圧ローラー１９〜第３挟圧ローラー２１は、それぞれ第１案内部１６〜第
３案内部１８における端部１６ａ〜１８ａから僅かに送り方向下流側へ位置する箇所に回
動自在に設けられている。また、それぞれ第１巻き付けローラー２２〜第３巻き付けロー
ラー２４の外周と外接するように構成されている。  
従って、用紙Ｐの先端がそれぞれ第１案内部１６〜第３案内部１８の端部１６ａ〜１８
ａから第１挟圧ローラー１９〜第３挟圧ローラー２１と第１案内部１６〜第３案内部１８
との間に進入したとき、用紙Ｐの先端側をそれぞれ対応する第１巻き付けローラー２２〜
第３巻き付けローラー２４と第１挟圧ローラー１９〜第３挟圧ローラー２１とによって挟
圧することができる。そして、第１巻き付けローラー２２〜第３巻き付けローラー２４が
回転することに従って、用紙Ｐの先端側をそれぞれ第１案内部１６〜第３案内部１８に沿
って移動させ、第１巻き付けローラー２２〜第３巻き付けローラー２４に巻き付けること
ができる。
【００３６】
またさらに、第１外周面部１０〜第３外周面部１２は、回転ドラム８の外周上であって
、それぞれ第１巻き付けローラー２２〜第３巻き付けローラー２４より回転ドラム８の回
転方向上流側に形成されている。従って、第１外周面部１０〜第３外周面部１２は、第１
巻き付けローラー２２〜第３巻き付けローラー２４に巻き付いた用紙Ｐの後端側をそれぞ
れ巻き付かせることができる。
【００３７】
また、第１外周面部１０〜第３外周面部１２には、それぞれ第１従動ローラー１３〜第
３従動ローラー１５が設けられている。第１従動ローラー１３〜第３従動ローラー１５は
、回動自在に保持されており、所定の位置において排出ローラー３９と協働して第１巻き
付けローラー２２〜第３巻き付けローラー２４に巻き付いた用紙Ｐの後端側を挟圧するこ
とができるように構成されている。そして、排出ローラー３９と協働して巻き付いた用紙
Ｐを解きながら送り方向下流側へ送ることができるように設けられている。
【００３８】
またさらに、排出ローラー３９は、モーター４０の動力によって回動し、回転ドラム８
に対して接離移動可能に設けられている。そして、回転ドラム８に接近した状態では、図
３における時計方向へ回転する。これにより、第１従動ローラー１３〜第３従動ローラー
１５と協働して第１巻き付けローラー２２〜第３巻き付けローラー２４に巻き付いた用紙
Ｐの後端側を送り方向下流側の第２搬送ローラー対４８へ送ることができるように構成さ
れている。この際、第１巻き付けローラー２２〜第３巻き付けローラー２４に巻き付いた
用紙Ｐを解くことができるように構成されている。
【００３９】
具体的には、図４に示す如く、モーター４０の動力は、第１動力伝達手段４４によって
回転ドラム８および排出ローラー３９へ伝達されるように設けられている。第１動力伝達
手段４４は、モーター４０と、ピニオンギア４１と、ドラム側プーリー２８と、従動プー
リー３６と、第１歯付きベルト４２と、第２歯付きベルト４３と、第１ギア３４と、第２
ギア３５とを有している。
【００４０】
このうち、モーター４０は、図示しない制御部によって正転駆動および逆転駆動するこ
とができるように構成されている。尚、図４における反時計方向への回転が正転駆動の方
向である。  
また、ピニオンギア４１は、モーター４０の軸に設けられている。またさらに、ドラム
側プーリー２８は、回転ドラム８の回転支点に設けられている。そして、第１歯付きベル
ト４２は、ピニオンギア４１およびドラム側プーリー２８の小径部に巻回されている。従
って、モーター４０の動力をドラム側プーリー２８に伝達することができる。
【００４１】
ここで、ドラム側プーリー２８と回転ドラム８との間には、一の回転方向への相対的な
回転を許容する構造である、所謂、ワンウェイベアリングが内蔵されている。本実施形態
では、図４においてドラム側プーリー２８が反時計方向へ回転したとき、回転ドラム８に
も動力が伝達するため、回転ドラム８も反時計方向へ回転する。一方、ドラム側プーリー
２８が時計方向へ回転したとき、回転ドラム８には動力が伝達されず、回転ドラム８は停
止した状態となるように構成されている。
【００４２】
また、揺動アーム部３７の揺動支点には従動プーリー３６が設けられている。そして、
第２歯付きベルト４３は、ドラム側プーリー２８の大径部および従動プーリー３６に巻回
されている。また、揺動アーム部３７には、揺動支点軸に従動プーリー３６と一体に回転
する第１ギア３４と、自由端側に設けられた排出ローラー３９と一体に回転する第２ギア
３５とが設けられている。そして、第２ギア３５は第１ギア３４と噛み合うように設けら
れている。従って、モーター４０の動力を排出ローラー３９へ伝達することができる。
【００４３】
また、揺動アーム部３７は、図示しない付勢手段によって排出ローラー３９が回転ドラ
ム８に接近する方向へ常に付勢されている。尚、付勢手段として、ねじりコイルばね、板
ばね、コイルばね等を用いることができる。  
そして、揺動アーム部３７の自由端側には、カムフォロア３８が形成されている。カム
フォロア３８は、用紙Ｐの幅方向Ｘにおける回転ドラム８の両側に形成されたカム２９と
対向する位置に一対設けられており、カム２９に沿って移動するように構成されている。
【００４４】
カム２９には、大径部３０と、第１従動ローラー１３〜第３従動ローラー１５に対応す
る箇所にそれぞれ小径部としての第１凹部３１〜第３凹部３３が形成されている。従って
、カムフォロア３８が第１従動ローラー１３〜第３従動ローラー１５と対向したとき、排
出ローラー３９は、第１従動ローラー１３〜第３従動ローラー１５に接近してローラー対
を成すことができる。尚、モーター４０が正転駆動のとき、排出ローラー３９は、図４に
おける時計方向へ回転する。一方、モーター４０が逆転駆動のとき、反時計方向へ回転す
るように構成されている。
【００４５】
また、排出ローラー３９の送り方向下流側には、第２搬送ローラー対４８が設けられて
いる。第２搬送ローラー対４８は、図示しないモーターの動力によって駆動することがで
きるように設けられている。  
従って、第２用紙ガイド部４９に案内されながら排出ローラー３９によって送られてき
た用紙Ｐをさらに送り方向下流側へ送ることができる。
【００４６】
続いて、用紙Ｐを表裏反転させる動作について説明する。  
図３に示すのは、第１搬送ローラー対４６が表裏反転前の用紙Ｐを回転ドラム８へ送っ
た際の状態を示す概略側面図である。このとき、回転ドラム８は、第１巻き付けローラー
２２が１２時の位置となる状態で停止している。本実施例では、この位置を回転ドラム８
の基準位置０度とする。
【００４７】
回転ドラム８が０度のとき、第１案内部１６の端部１６ａは、送られてくる用紙Ｐの先
端を第１案内部１６と第１巻き付けローラー２２との間に案内することができるように設
けられている。  
尚、回転ドラム８の位置（角度）については、例えば、位置検出手段としてのロータリ
ーエンコーダーを回転ドラム８に設けることによって制御部が判断することができるもの
とする。
【００４８】
用紙Ｐの先端がセンサー５０を通過すると、図示しない制御部は用紙Ｐを先端が通過し
たと判断することができる。そして、用紙Ｐの先端が第１案内部１６と第１巻き付けロー
ラー２２との間に入り込むタイミングで、制御部はモーター４０を正転駆動させる。  
尚、第１搬送ローラー対４６が用紙Ｐを送る速度は、回転ドラム８の外周が回転する速
度より速いものとする。
【００４９】
図５に示すのは、本発明に係る反転部の回転ドラムが３０度回転した状態を示す概略側
面図である。  
図５に示す如く、モーター４０が正転駆動すると、前述した第１動力伝達手段４４によ
り動力が伝達される。従って、回転ドラム８は、図中における時計方向へ回転し始める。
このとき、回転ドラム８に保持されている第１巻き付けローラー２２〜第３巻き付けロー
ラー２４は、回転ドラム８の回転支点を支点に回転し始める。
【００５０】
ここで、前述したように、太陽ギア９は固定されている。そして、回転ドラム８が０〜
３０度の状態では、第１遊星ギア２５および第２遊星ギア２６は、太陽ギア９の歯部９ａ
と噛み合っている。従って、回転ドラム８が図中において時計方向へ回転すると、太陽ギ
ア９から動力を受けて第１巻き付けローラー２２および第２巻き付けローラー２３はそれ
ぞれのローラーを支点に時計方向へ回転する。一方、第３遊星ギア２７は、太陽ギア９の
歯無し部９ｂと対向しているので、太陽ギア９から動力を受けない。従って、第３巻き付
けローラー２４は、回動自在な状態で回転ドラム８に対して相対的に停止した状態となる
。
【００５１】
また、第１案内部１６と第１巻き付けローラー２２との間に用紙Ｐの先端側が第１搬送
ローラー対４６によって送られるため、押し込まれるように進入する。このとき、第１巻
き付けローラー２２は、時計方向へ回転しているので、用紙Ｐの先端側を軽く引き込むよ
うにも作用する。従って、第１巻き付けローラー２２の外周に用紙Ｐの先端側を巻き付け
ることができる。
【００５２】
図６に示すのは、本発明に係る反転部の回転ドラムが約７７度回転した状態を示す概略
側面図である。  
図６に示す如く、図５に示す状態からさらに回転ドラム８が図中における時計方向へ回
転すると、第１巻き付けローラー２２および第２巻き付けローラー２３はそれぞれのロー
ラーを支点に時計方向へさらに回転する。
【００５３】
この際、第１搬送ローラー対４６および第１巻き付けローラー２２の回転によって、用
紙Ｐの先端側は、さらに第１案内部１６と第１巻き付けローラー２２との間に入り込む。
即ち、用紙Ｐが第１巻き付けローラー２２の外周に巻き付く量が大きくなる。そして、用
紙Ｐの先端側は、第１挟圧ローラー１９に到達し、第１挟圧ローラー１９および第１巻き
付けローラー２２に挟圧された状態となる。
【００５４】
図７に示すのは、本発明に係る反転部の回転ドラムが１２０度回転した状態を示す概略
側面図である。  
図７に示す如く、図６に示す状態からさらに回転ドラム８が図中における時計方向へ回
転すると、第１巻き付けローラー２２および第２巻き付けローラー２３はそれぞれのロー
ラーを支点に時計方向へさらに回転する。
【００５５】
この際、第１巻き付けローラー２２および第１挟圧ローラー１９によって用紙Ｐの先端
側は、第１搬送ローラー対４６より少し速い速度で引き込まれるようにさらに巻き付く方
向へ送られる。ここで、前述したように第１搬送ローラー対４６には、ワンウェイクラッ
チが内蔵されているので、第１巻き付けローラー２２および第１挟圧ローラー１９による
用紙Ｐの引っ張りを許容することができる。従って、用紙Ｐが送り方向下流側に引っ張ら
れた場合であっても、第１搬送ローラー対４６が用紙Ｐを傷つける虞がない。また、この
際、用紙Ｐの送り方向上流側である後端は、センサー５０を通過し、第１用紙ガイド部４
７を抜ける。
【００５６】
尚、第２遊星ギア２６は、太陽ギア９の歯部９ａとの噛み合いが解除され、歯無し部９
ｂと対向する。従って、第２巻き付けローラー２３は、回動自在な状態となる。  
また、第３遊星ギア２７は、太陽ギア９の歯部９ａと噛み合い始める。従って、第３巻
き付けローラー２４は、回動自在な状態から太陽ギア９から動力を受けて回動する状態と
なる。
【００５７】
図８に示すのは、本発明に係る反転部の回転ドラムが１８０度回転した状態を示す概略
側面図である。  
図８に示す如く、図７に示す状態からさらに回転ドラム８が図中における時計方向へ回
転すると、第１巻き付けローラー２２および第３巻き付けローラー２４はそれぞれのロー
ラーを支点に時計方向へさらに回転する。  
この際、第１巻き付けローラー２２および第１挟圧ローラー１９によって用紙Ｐの先端
側は、さらに引き込まれるように巻き付く方向へ送られる。
【００５８】
図９に示すのは、本発明に係る反転部の回転ドラムが２４０度回転した状態を示す概略
側面図である。  
図９に示す如く、図８に示す状態からさらに回転ドラム８が図中における時計方向へ回
転すると、第１巻き付けローラー２２および第３巻き付けローラー２４はそれぞれのロー
ラーを支点に時計方向へさらに回転する。
【００５９】
この際、第１巻き付けローラー２２および第１挟圧ローラー１９によって用紙Ｐに先端
側は、さらに引き込まれるように巻き付く方向へ送られる。そして、第１遊星ギア２５は
、太陽ギア９の歯部９ａとの噛み合いが解除され、歯無し部９ｂと対向する。従って、第
１巻き付けローラー２２は、回動自在な状態となる。  
また、第２遊星ギア２６は、太陽ギア９の歯部９ａと噛み合い始める。従って、第２巻
き付けローラー２３は、回動自在な状態から太陽ギア９から動力を受けて回動する状態と
なる。
【００６０】
またさらに、カムフォロア３８は第１凹部３１と対向するので、排出ローラー３９は、
図示しない付勢手段の付勢力によって回転ドラム８の第１従動ローラー１３に接近移動す
る。この際、排出ローラー３９および第１従動ローラー１３は、第１巻き付けローラー２
２に巻き付いた用紙Ｐの後端側を挟圧することができるように構成されている。  
尚、排出ローラー３９が回転ドラム８に接近移動する際、排出ローラー３９はモーター
４０の動力を受けて図中における反時計方向へ回転している。従って、回転ドラム８の回
転が停止する直前において、排出ローラー３９が巻き付いている用紙Ｐを破損する虞はな
い。  
そして、制御部は、モーター４０を停止させて回転ドラム８の回転を停止させる。これ
により、排出ローラー３９も停止した状態となる。
【００６１】
図１０に示すのは、本発明に係る反転部において用紙が解かれる様子を示す概略側面図
である。  
図１０に示す如く、図９に示す状態から、制御部は、モーター４０を逆転駆動させる。
ここで、ドラム側プーリー２８には、前述したようにワンウェイベアリングが内蔵されて
いる。従って、ドラム側プーリー２８が図４における時計方向へ回転した場合であっても
回転ドラム８には動力は伝達されない。その結果、回転ドラム８は停止した状態のままで
ある。
【００６２】
一方、モーター４０の逆転駆動の動力は、ドラム側プーリー２８、従動プーリー３６、
第１ギア３４および第２ギア３５を介して排出ローラー３９へ伝達される。従って、排出
ローラー３９は、図４における反時計方向へ回転する。即ち、図９における時計方向へ回
転する。  
従って、排出ローラー３９および第１従動ローラー１３は、協働して第１巻き付けロー
ラー２２に巻き付いた用紙Ｐの後端側を送り方向下流側である第２搬送ローラー対４８へ
送ることができる。
【００６３】
このとき、第１巻き付けローラー２２は、前述したように回動自在な状態である。従っ
て、排出ローラー３９および第１従動ローラー１３が第１巻き付けローラー２２に巻き付
いた用紙Ｐを引っ張ることにより第１巻き付けローラー２２を図中における反時計方向へ
回転させることができる。そして、第１巻き付けローラー２２に巻き付いた用紙Ｐを第１
巻き付けローラー２２から解きながら、第２搬送ローラー対４８へ送ることができる。
【００６４】
即ち、巻き付いたときの用紙Ｐの後端を先頭にして送り方向下流側へ送ることができる
。  
その結果、用紙Ｐは第１巻き付けローラー２２に巻き付いた後端側から解かれて送り方
向下流側へ送られるので、用紙Ｐの表裏を反転することができる。  
尚、排出ローラー３９を時計方向へ回転させる量は、センサー５０が用紙Ｐの先端を検
出したときから後端を検出するまでの第１搬送ローラー対４６、回転ドラム８および第１
巻き付けローラー２２の回転量から算出することができるものとする。従って、用紙Ｐを
完全に解くことができる。
【００６５】
そして、制御部は、モーター４０の逆転駆動を停止させる。従って、排出ローラー３９
の図中における時計方向へ回転は停止する。  
解いた用紙Ｐは、第２用紙ガイド部４９に案内されながら第２搬送ローラー対４８へ送
られる。そして、第２搬送ローラー対４８は、図示しないモーターの動力によって用紙Ｐ
をさらに送り方向下流側へ送るように設けられている。
【００６６】
また、このとき、回転ドラム８は、第２巻き付けローラー２３が１２時の位置となる状
態で停止している。この状態において、第２案内部１７の端部１７ａは、送られてくる後
続の用紙Ｐ１の先端を第２案内部１７と第２巻き付けローラー２３との間に案内すること
ができるように設けられている。  
そして、制御部がモーター４０の正転駆動を停止させて回転ドラム８の回転を停止させ
てから、解かれた用紙Ｐが第２搬送ローラー対４８によって下流側へ送られるまでの間、
第１搬送ローラー対４６は後続の用紙Ｐ１を下流側へ送るように構成されている。
【００６７】
後続の用紙Ｐ１の先端がセンサー５０を通過すると、制御部は後続の用紙Ｐ１を先端が
通過したと判断することができる。そして、先行する用紙Ｐの先端が第１案内部１６と第
１巻き付けローラー２２との間に入り込んだときと同様、後続の用紙Ｐ１の先端が第２案
内部１７と第２巻き付けローラー２３との間に入り込むタイミングで、制御部はモーター
４０を正転駆動させる。
【００６８】
従って、回転ドラム８は、図中における時計方向へ回転し始める。この際、カムフォロ
ア３８は第１凹部３１と対向する位置から外れ、大径部３０と対向する。従って、排出ロ
ーラー３９は、回転ドラム８から離間移動する。これは、モーター４０の正転駆動時にお
いて排出ローラー３９が図中における反時計方向へ回転し、用紙Ｐの巻き付け動作および
解き動作を妨げる虞があるからである。
【００６９】
その後、第１巻き付けローラー２２の場合と同様、第２巻き付けローラー２３に後続の
用紙Ｐ１を巻き付け、回転ドラム８を停止させる。そして、モーター４０を逆転駆動させ
て第２巻き付けローラー２３に巻き付けた後続の用紙Ｐ１を解いて排出ローラー３９によ
って送り方向下流側へ送る。  
続けて、制御部はモーター４０を正転駆動させ、第１巻き付けローラー２２の場合と同
様、第３巻き付けローラー２４にさらに後続の用紙（図示せず）を巻き付け、回転ドラム
８を停止させる。そして、モーター４０を逆転駆動させて第３巻き付けローラー２４に巻
き付けたさらに後続の用紙（図示せず）を解いて排出ローラー３９によって送り方向下流
側へ送るように構成されている。
【００７０】
以上、説明したように、第１巻き付けローラー２２〜第３巻き付けローラー２４に用紙
Ｐを巻き付け、排出ローラー３９によって巻き付いた用紙Ｐを解いて表裏反転させること
ができる。従って、従来の構成と比較して、反転部５を小型化することができる。  
また、複数の巻き付けローラー（２２〜２４）を有するので、先行する用紙Ｐの表裏反
転が完了する前に後続の用紙Ｐ１の反転動作を開始することができる。その結果、単位時
間当たりに表裏反転することができる用紙Ｐの枚数を多くすることができる。即ち、表裏
反転する動作の効率を向上させることができる。
【００７１】
尚、上記実施例では、回転ドラム８を停止させた際、一の巻き付けローラー（例えば符
号２２）に巻き付いた先行する用紙Ｐを解く動作と、他の巻き付けローラー（例えば符号
２３）に後続の用紙Ｐ１を巻き付ける動作とを開始するように構成したがこれに限られな
い。  
例えば、一の巻き付けローラー（例えば符号２２）に先行する用紙Ｐを巻き付けている
ときに、回転ドラム８を停止させ、後続の用紙Ｐ１を他の巻き付けローラー（例えば符号
２４）に巻き付け始めてもよい。具体的には、図７に示す回転ドラム８の位置で停止させ
、第１巻き付けローラー２２に先行する用紙Ｐを巻き付けている状態で、第３巻き付けロ
ーラー２４に後続の用紙Ｐ１を巻き付け始めるように構成してもよい。
【００７２】
本実施形態において、回転ドラム８を停止させた際、一の巻き付けローラー（例えば符
号２２）に巻き付いた先行する用紙Ｐを解く動作と、他の巻き付けローラー（例えば符号
２３）に後続の用紙Ｐ１を巻き付ける動作とを開始するように構成したのは、回転ドラム
８を停止させる回数を少なくするためである。さらに、停止している時間を短くするため
である。即ち、表裏反転する動作の作業効率を向上させるためである。
【００７３】
また、上記実施例では、排出ローラー３９を駆動させることによって第１巻き付けロー
ラー２２〜第３巻き付けローラー２４に巻き付いている用紙Ｐを引っ張るようにして解い
たがこれに限られない。第１巻き付けローラー２２〜第３巻き付けローラー２４が、モー
ターの動力により逆回転することによって巻き付いている用紙Ｐを解く構成でもよいのは
勿論である。
【００７４】
またさらに、上記実施例では、第１挟圧ローラー１９〜第３挟圧ローラー２１を設けた
がこれに限られない。用紙Ｐと第１巻き付けローラー２２〜第３巻き付けローラー２４と
の間に摩擦抵抗を発生させて用紙Ｐに対して送り力を付与することができる構成であれば
よい。例えば、板ばね等によって用紙Ｐを第１巻き付けローラー２２〜第３巻き付けロー
ラー２４の外周に押し付けることにより前記送り力を付与することができる。
【００７５】
また、第１巻き付けローラー２２〜第３巻き付けローラー２４の外周面に複数の小さな
孔と、該巻き付けローラーの内部に吸引手段とを設けてもよい。係る場合、用紙を巻き付
けローラーの外周面に吸着させて前記送り力を用紙に付与することができる。  
またさらに、第１巻き付けローラー２２〜第３巻き付けローラー２４の内部に加熱手段
を設けてもよい。係る場合、用紙に記録されたインクの乾燥を助長して確実にインクを乾
燥させることができる。
【００７６】
本実施形態の媒体反転装置としての反転部５は、回転する回転体としての回転ドラム８
と、回転ドラム８における回転ドラム８の回転支点の周りに複数設けられたローラーとし
ての第１巻き付けローラー２２〜第３巻き付けローラー２４と、を備え、第１巻き付けロ
ーラー２２〜第３巻き付けローラー２４は、回転ドラム８が回転する際、それぞれ順に送
り方向上流側から送られてきた被送り媒体の一例である用紙Ｐを、一の方向へ回転するこ
とにより該用紙Ｐの送り方向下流側である先端側から巻き、前記一の方向と逆方向へ回転
することにより巻いた前記用紙Ｐを解き、該用紙Ｐを巻いたときの後端を先頭にして送り
方向下流側へ送ることを特徴とする。
【００７７】
本実施形態の反転部５は、回転する回転ドラム８と、回転ドラム８における回転ドラム
８の回転支点の周りに複数設けられ、回転ドラム８が回転する際、それぞれ順に送り方向
上流側から送られてきた用紙Ｐを該用紙Ｐの送り方向下流側である先端側から巻くローラ
ーとしての第１巻き付けローラー２２〜第３巻き付けローラー２４と、第１巻き付けロー
ラー２２〜第３巻き付けローラー２４の一のローラーに巻かれた用紙Ｐの後端を先頭にし
て送り方向下流側へ送りながら該用紙Ｐを前記一のローラーから解く送り手段としての排
出ローラー３９と、を備えていることを特徴とする。
【００７８】
また、本実施形態において、第１巻き付けローラー２２〜第３巻き付けローラー２４の
一のローラーに巻かれた用紙Ｐが排出ローラー３９によって解かれる位置に前記一のロー
ラー（例えば、第１巻き付けローラー２２）が位置する際、他のローラー（例えば、第２
巻き付けローラー２３）は、送られてきた後続の用紙Ｐ１を該用紙Ｐ１の先端側から巻き
始める位置に位置する構成であることを特徴とする。
【００７９】
またさらに、本実施形態において、第１巻き付けローラー２２〜第３巻き付けローラー
２４は、回転ドラム８の回転方向において、等間隔に配設されていることを特徴とする。
また、本実施形態において、回転ドラム８の回転支点に設けられ、反転部５に対して固
定された太陽ギア９と、第１巻き付けローラー２２〜第３巻き付けローラー２４にそれぞ
れ設けられ、太陽ギア９と噛み合う遊星ギアである第１遊星ギア２５〜第３遊星ギア２７
と、を有することを特徴とする。
【００８０】
またさらに、本実施形態において、太陽ギア９の外周において、歯部９ａと、歯無し部
９ｂと、が設けられており、用紙Ｐを第１巻き付けローラー２２（第２巻き付けローラー
２３、第３巻き付けローラー２４）から解く際、第１巻き付けローラー２２（第２巻き付
けローラー２３、第３巻き付けローラー２４）に設けられた第１遊星ギア２５（第２遊星
ギア２６、第３遊星ギア２７）は、歯無し部９ｂと対向する構成であることを特徴とする
。  
また、本実施形態において、モーター４０の動力を回転ドラム８および排出ローラー３
９へ伝達する動力伝達手段としての第１動力伝達手段４４を備えていることを特徴とする
。
【００８１】
本実施形態の記録装置の一例であるプリンター１は、被記録媒体の一例である用紙Ｐに
対して記録する記録部としての第１記録部４および第２記録部６と、用紙Ｐの表裏を反転
する反転部５と、を備えていることを特徴とする。  
尚、本実施形態において記録部を二つ設けたが、二つに限られないのは言うまでもない
。一つでもよいし、三つ以上でもよいのは勿論である。
【００８２】
［他の実施形態１］
図１１に示すのは、他の実施形態１に係る排出ローラーの揺動機構を示す概略側面図で
ある。  
図１１に示す如く、他の実施形態１の反転部５１において、従動プーリー５５および第
１ギア５３は、排出ローラー３９における送り方向Ｙにおいて、排出ローラー３９および
第２ギア３５より上流側に配設されている。即ち、前述した実施形態（特に図４参照）で
は、従動プーリー３６および第１ギア３４は、排出ローラー３９における送り方向Ｙにお
いて、排出ローラー３９および第２ギア３５より下流側に配設されていたが、他の実施形
態１では逆の構成である。  
尚、特に説明しない部材については、前述した実施形態と同様であるので、同じ符号を
用いることにし、その説明は省略する。
【００８３】
そして、揺動アーム部５４は、従動プーリー５５の回転軸を支点として揺動することが
できるように設けられている。このように構成することにより、モーター４０を図中にお
ける反時計方向へ正転駆動させた場合、第１歯付きベルト４２、ドラム側プーリー２８、
第２歯付きベルト４３および従動プーリー５５を介して第１ギア５３を反時計方向へ回転
させることができる。
【００８４】
このとき、第２ギア３５を、第１ギア５３の回転中心を支点として反時計方向へ回転さ
せることができる。即ち、第１ギア５３を太陽ギア９とし、第２ギア３５を遊星ギアとす
る構成である。これにより、第２ギア３５および揺動アーム部５４を、第１ギア５３の回
転中心を支点に反時計方向へ揺動させることができる。その結果、排出ローラー３９を回
転ドラム５２から離間移動させることができる。
【００８５】
一方、モーター４０を図中における時計方向へ逆転駆動させた場合、第１ギア５３を時
計方向へ回転させることができる。従って、第２ギア３５および揺動アーム部５４を、第
１ギア５３の回転中心を支点に時計方向へ揺動させることができる。その結果、排出ロー
ラー３９を回転ドラム５２に接近移動させることができる。このとき、排出ローラー３９
は、図中における反時計方向へ回転する。従って、前述した実施形態と同様に、第１従動
ローラー１３〜第３従動ローラー１５と協働して、第１巻き付けローラー２２〜第３巻き
付けローラー２４に巻き付いた用紙Ｐを解くことができる。そして、第２搬送ローラー対
４８へ送ることができる。
【００８６】
以上、説明したように、他の実施形態１の構成では、前述した実施形態と同様の作用効
果を得ることができる。さらに、第１ギア５３が第２ギア３５を介して揺動アーム部５４
および排出ローラー３９を揺動させることができるので、前述した実施形態（図４参照）
で用いたカム２９、第１凹部３１〜第３凹部３３、カムフォロア３８および図示しない付
勢手段を必要としない。その結果、より簡単な構成で回転ドラム５２に対して排出ローラ
ー３９を揺動させることができる。
【００８７】
［他の実施形態２］
図１２（Ａ）（Ｂ）に示すのは、他の実施形態２に係る反転部の動作を示す概略側面図
である。このうち図１２（Ａ）は巻き付け動作である。一方、図１２（Ｂ）は解き動作で
ある。  
図１２（Ａ）（Ｂ）に示す如く、他の実施形態２の反転部６１は、巻き付けローラー６
２と、第１挟圧ローラー６３と、第２挟圧ローラー６４と、案内部６５とを備えている。
尚、特に説明しない部材については、前述した実施形態と同様であるので、同じ符号を
用いることにし、その説明は省略する。
【００８８】
図１２（Ａ）に示す如く、第１搬送ローラー対４６によって用紙Ｐが巻き付けローラー
６２へ送られる。センサー５０が用紙Ｐの先端を検出することにより、巻き付けローラー
６２は、図中における時計方向へ正転駆動し始める。従って、用紙Ｐの先端側は、巻き付
けローラー６２および第１挟圧ローラー６３に挟圧されながら、巻き付けローラー６２に
巻き付くように送られる。
【００８９】
このとき、用紙Ｐは、案内部６５によって巻き付けローラー６２の周方向へ案内される
。巻き付けローラー６２が時計方向へさらに回転すると、用紙Ｐの先端側は、第２挟圧ロ
ーラー６４に到達する。そして、巻き付けローラー６２および第２挟圧ローラー６４に挟
圧されながら、巻き付けローラー６２にさらに巻き付くように送られる。この際、用紙Ｐ
の先端側が、用紙Ｐの後端側と重なってもよい。
【００９０】
そして、用紙Ｐの後端がセンサー５０を通過したとき、センサー５０が用紙Ｐの後端を
検出する。制御部は、このときから、巻き付けローラー６２を所定量だけ駆動させて停止
させる。具体的には、用紙Ｐの後端が、第２用紙ガイド部４９と対向する位置にきたとき
停止させる。  
そして、図１２（Ｂ）に示す如く、制御部は、巻き付けローラー６２を図中における反
時計方向へ逆転駆動させる。
【００９１】
従って、巻き付けたときの用紙Ｐの後端側を先頭にして第２用紙ガイド部４９に沿って
第２搬送ローラー対４８へ送ることができる。その結果、用紙Ｐの表裏を反転させること
ができる。  
ここで、用紙Ｐの長さは、センサー５０が用紙Ｐの先端を検出したときから後端を検出
したときまでの巻き付けローラー６２の回転量から算出することができる。従って、算出
した用紙Ｐの長さに基づいて、巻き付けローラー６２を逆転駆動させる量を決定すること
ができる。その後、巻き付けローラー６２を正転駆動させ、後続の用紙Ｐ１を先行する用
紙Ｐと同様に表裏反転させることができるように構成されている。
【００９２】
以上、説明したように、巻き付けローラー６２に用紙Ｐを巻き付けた後、用紙Ｐの後端
側から解くことにより、用紙Ｐの表裏を反転させることができる。  
また、この構成によれば、どのような用紙Ｐの長さにも対応することができる。  
またさらに、前述した実施形態と同様に、従来の構成と比較して反転部６１を小型化す
ることができる。
【００９３】
［他の実施形態３］
図１３に示すのは、他の実施形態３に係る反転部を用紙の幅方向一端側から見た概略側
面図である。また、図１４に示すのは、他の実施形態３に係る反転部を用紙の幅方向他端
側から見た概略側面図である。  
図１３に示す如く、他の実施形態３の反転部７１は、前述した実施形態（図３参照）の
第１従動ローラー１３〜第３従動ローラー１５に代えて、第１ベルト機構７８〜第３ベル
ト機構８０を有している。第１ベルト機構７８〜第３ベルト機構８０は、回転ドラム８の
外周における周方向において、それぞれ第１凹部３１〜第３凹部３３が形成されている範
囲に設けられている。
【００９４】
また、図１４に示す如く、他の実施形態３の反転部７１は、前述した実施形態（図４参
照）の第１ギア３４および第２ギア３５に代えて、第３ギア７２〜第５ギア７４を有して
いる。  
尚、特に説明しない部材については、前述した実施形態と同様であるので、同じ符号を
用いることにし、その説明は省略する。  
第３ギア７２は、従動プーリー７５と同軸上に一体に設けられている。また、第４ギア
７３は、第３ギア７２と外接するように設けられている。
【００９５】
またさらに、第５ギア７４は、第４ギア７３と外接しており、排出ローラー７７と同軸
上に一体に設けられている。また、揺動アーム部７６は、第４ギア７３の回転軸を支点に
揺動するように設けられており、自由端側に第５ギア７４、排出ローラー７７およびカム
フォロア３８を有している。またさらに、揺動アーム部７６は、図示しない付勢手段によ
って常に排出ローラー７７が回転ドラム８に接近する方向へ付勢されている。
【００９６】
従って、モーター４０を図１４における反時計方向へ正転駆動させたとき、前述した実
施形態と同様に、回転ドラム８を反時計方向へ回転させることができる。他の実施形態３
では、前述した実施形態と異なり、モーター４０の正転駆動時において、排出ローラー７
７を反時計方向へ回転させることができる。  
これは、モーター４０が正転駆動すると、ドラム側プーリー２８、第２歯付きベルト４
３および従動プーリー７５を介して第３ギア７２は反時計方向へ回転する。そして、第３
ギア７２の動力を受けて第４ギア７３が時計方向へ回転する。さらに、第４ギア７３の動
力を受けて第５ギア７４が反時計方向へ回転するからである。
【００９７】
そして、モーター４０の正転駆動によって回転ドラム８が図１４における反時計方向へ
回転している最中において、カムフォロア３８が第１凹部３１〜第３凹部３３と対向した
とき、排出ローラー７７を反時計方向へ回転させた状態で回転ドラム８に接近移動させる
ことができる。  
図１３に示す如く、カムフォロア３８が第１凹部３１と対向した際、排出ローラー７７
および第１ベルト機構７８が協働して第１巻き付けローラー２２に巻き付いた用紙Ｐの後
端側を挟圧することができる。
【００９８】
尚、排出ローラー７７が回転ドラム８に対して接近移動する前に、太陽ギア９の歯部９
ａと、第１遊星ギア２５〜第３遊星ギア２７の一のギア（図１３の場合は第１遊星ギア２
５）との噛み合いが解除されるように構成されているものとする。即ち、排出ローラー７
７が回転ドラム８に対して接近移動する直前に、用紙Ｐが巻き付いている第１巻き付けロ
ーラー２２〜第３巻き付けローラー２４の一のローラー（図１３の場合は第１巻き付けロ
ーラー２２）は回動自在であるフリーな状態となるように構成されている。従って、排出
ローラー８が前記接近移動した際、用紙Ｐを破損する虞はない。
【００９９】
そして、用紙Ｐの後端側を送り方向下流側へ引っ張るように送ることにより、前述した
実施形態と同様に、第１巻き付けローラー２２に巻き付いた用紙Ｐを解いて巻き付いてい
たときの用紙Ｐの後端側を先頭にして第２搬送ローラー対４８へ送ることができる。その
結果、用紙Ｐの表裏を反転させることができる。  
ここで、前述した実施形態と異なる点は、モーター４０の正転駆動を停止させ回転ドラ
ム８を停止させる必要がない点である。
【０１００】
即ち、回転ドラム８を図１３における時計方向へ回転させながら、第１巻き付けローラ
ー２２〜第３巻き付けローラー２４に巻き付いた用紙Ｐを解くことができる。そのため、
第１凹部３１〜第３凹部３３および第１ベルト機構７８〜第３ベルト機構８０を、回転ド
ラム８の周方向にある程度長尺に設けている。即ち、排出ローラー７７が巻き付いた用紙
Ｐを完全に解くことができるように、第１凹部３１〜第３凹部３３および第１ベルト機構
７８〜第３ベルト機構８０を前記長尺に設けている。  
尚、排出ローラー７７が巻き付いた用紙Ｐを完全に解くことができるように、排出ロー
ラー７７の回転速度を高速にしてもよいのは勿論である。
【０１０１】
また、第１搬送ローラー対４６が用紙Ｐを送り、用紙Ｐの先端側を第１巻き付けローラ
ー２２〜第３巻き付けローラー２４と第１案内部１６〜第３案内部１８との間に進入させ
る際、タイミングを合わせることによって、回転ドラム８を停止させずに前記進入させる
ことができる。具体的には、第１案内部１６〜第３案内部１８の端部１６ａ〜１８ａが第
１用紙ガイド部４７と対向するタイミングで、第１搬送ローラー対４６が用紙Ｐを送り方
向下流側へ送ることにより実現することができる。
【０１０２】
その結果、先行する用紙Ｐに続けて後続の用紙Ｐ１、さらに後続の用紙Ｐ２をそれぞれ
順に第１巻き付けローラー２２〜第３巻き付けローラー２４に巻き付けることができる。
尚、第１搬送ローラー対４６が用紙Ｐを送り方向下流側へ送るタイミングに合わせて、
回転ドラム８を回転させて第１案内部１６〜第３案内部１８の端部１６ａ〜１８ａを第１
用紙ガイド部４７と対向させるように構成してもよい。センサー５０によって用紙Ｐの先
端を検出することができるので、容易に前記タイミングを合わせることができる。
【０１０３】
以上、説明したように他の実施形態３の反転部７１は、回転ドラム８が送られてきた用
紙Ｐを受け取り、用紙Ｐの先端側を第１巻き付けローラー２２〜第３巻き付けローラー２
４に巻き付ける際、回転ドラム８を停止させる必要がない。さらに、巻き付いたときの用
紙Ｐの後端側から解いて用紙Ｐを送り方向下流側へ送ることにより表裏反転する際、回転
ドラム８を停止させる必要がない。  
また、モーター４０を逆転駆動させる必要もない。  
その結果、回転ドラム８を停止させない分、用紙Ｐの表裏反転の効率を向上させること
ができる。
【０１０４】
尚、他の実施形態３では、回転ドラム８の周方向に延設された第１ベルト機構７８〜第
３ベルト機構８０を用いたがこれに限られない。  
例えば、滑らかな第１外周面部１０〜第３外周面部１２と排出ローラー７７とが、協働
して巻き付いた用紙Ｐの後端側を挟圧して第１巻き付けローラー２２〜第３巻き付けロー
ラー２４から巻き付いた用紙Ｐを解くように構成してもよい。
【０１０５】
また、他の実施形態３では、排出ローラー７７を駆動させることによって第１巻き付け
ローラー２２〜第３巻き付けローラー２４に巻き付いている用紙Ｐを引っ張るようにして
解いたがこれに限られない。第１巻き付けローラー２２〜第３巻き付けローラー２４が、
モーター４０の動力により逆回転することによって巻き付いている用紙Ｐを解く構成でも
よいのは勿論である。  
例えば、以下に説明する他の実施形態４の反転部のように構成することができる。
【０１０６】
［他の実施形態４］
図１５に示すのは、他の実施形態４に係る反転部を用紙の幅方向一端側から見た概略側
面図である。  
図１５に示す如く、他の実施形態３の反転部８１は、前述した他の実施形態３（図１３
参照）の排出ローラー７７、第１ベルト機構７８〜第３ベルト機構８０およびカム２９に
代えて、弧状ギア８２および第１ピニオン８３〜第３ピニオン８５を有する。  
尚、特に説明しない部材については、前述した実施形態と同様であるので、同じ符号を
用いることにし、その説明は省略する。
【０１０７】
このうち、弧状ギア８２は、太陽ギア９と同様に反転部８１に対して固定されており、
周方向における太陽ギア９の歯無し部９ｂが形成されている範囲に設けられている。また
、第１ピニオン８３は、第１遊星ギア２５より小径であって、第１遊星ギア２５と同軸上
に一体に設けられている。同様に、第２ピニオン８４は、第１ピニオン８３と同径であっ
て、第２遊星ギア２６と同軸上に一体に設けられている。また、第３ピニオン８５も同様
に、第１ピニオン８３と同径であって、第３遊星ギア２７と同軸上に一体に設けられてい
る。
【０１０８】
そして、回転ドラム８が図中における時計方向へ回転し、第１遊星ギア２５と太陽ギア
９の歯部９ａとの噛み合いが解除される。その後、第１ピニオン８３は、太陽ギア９を内
側としたときの外側に設けられた弧状ギア８２と噛み合う。このとき、第１ピニオン８３
は、弧状ギア８２から反時計方向へ回転する力を受ける。従って、第１巻き付けローラー
２２は、図中における反時計方向へ回転することができる。即ち、第１巻き付けローラー
２２は、用紙Ｐを巻き付けたときの回転方向と逆方向である反時計方向へ回転することが
できる。その結果、巻き付いている用紙Ｐを解きながら巻き付いたときの用紙Ｐの後端を
先頭にして該用紙Ｐを送り方向下流側へ送ることができる。即ち、用紙Ｐの表裏を反転す
ることができる。
【０１０９】
尚、第１巻き付けローラー２２が反時計方向へ回転する速度の大きさは、回転ドラム８
が時計方向へ回転する速度の大きさより十分に大きいものとする。解いた用紙Ｐを送り方
向下流側へ確実に送るためである。そのために、第１ピニオン８３の径を、第１巻き付け
ローラー２２および第１遊星ギア２５より小径となるように構成した。  
また、前述した他の実施形態３の排出ローラー７７を必要としないので、その分、第２
用紙ガイド部４９の下側を回転ドラム８の外周に沿って長く設けるのは言うまでもない。
【０１１０】
その後、さらに回転ドラム８が図中における時計方向へ回転すると、第１ピニオン８３
と弧状ギア８２との噛み合いが解除される。そして、第１巻き付けローラー２２が略１２
時の位置に到達すると、第１遊星ギア２５と太陽ギア９の歯部９ａとが噛み合う。この際
、第３遊星ギア２７と太陽ギア９の歯部９ａとの噛み合いが解除される。その後、第３ピ
ニオン８５は、前述した第１ピニオン８３と同様に、太陽ギア９を内側としたときの外側
に設けられた弧状ギア８２と噛み合う。その後、第３巻き付けローラー２４は、前述した
第１巻き付けローラー２２と同様に、巻き付いている後続の用紙Ｐ１を解きながら巻き付
いたときの用紙Ｐ１の後端を先頭にして該用紙Ｐ１を送り方向下流側へ送ることができる
。
【０１１１】
さらに回転ドラム８が図中における時計方向へ回転すると、第２遊星ギア２６と太陽ギ
ア９の歯部９ａとの噛み合いが解除される。その後、第２ピニオン８４は、前述した第１
ピニオン８３と同様に、太陽ギア９を内側としたときの外側に設けられた弧状ギア８２と
噛み合う。その後、第２巻き付けローラー２３は、前述した第１巻き付けローラー２２と
同様に、巻き付いているさらに後続の用紙Ｐ２を解きながら巻き付いたときの用紙Ｐ２の
後端を先頭にして該用紙Ｐ２を送り方向下流側へ送ることができる。
【０１１２】
以上、説明したように他の実施形態４の反転部８１は、巻き付いている用紙Ｐを解く際
、モーター４０の動力によって第１巻き付けローラー２２〜第３巻き付けローラー２４を
逆転駆動させることができる。従って、前述した他の実施形態３の作用効果に加えて、前
述した他の実施形態３の排出ローラー７７、第１ベルト機構７８〜第３ベルト機構８０お
よびカム２９を必要としない。その結果、前述した他の実施形態３（図１３参照）の構成
と比較してシンプルな構成とすることができる。  
即ち、回転ドラム８の回転を停止させることなく、連続して用紙Ｐの表裏を反転させる
ことができることに加え、前述した他の実施形態３の排出ローラー７７の揺動機構を必要
としない。
【０１１３】
また、他の実施形態４の反転部８１では、前述した他の実施形態３と比較して、巻き付
いている用紙Ｐを解く際、巻き付いたときの用紙Ｐの後端側が他の実施形態３（図１３参
照）の排出ローラー７７を設けていた位置に位置することを要しない。即ち、巻き付けロ
ーラー（２２〜２４）に用紙Ｐを該用紙Ｐの後端まで完全に巻き付けてもよい。従って、
他の実施形態４の反転部８１では、用紙Ｐを巻き付ける際の巻き付けローラー（２２〜２
４）の回転数を多くして巻き付ける量を大きくすることができる。その結果、前述した他
の実施形態３（図１３参照）と比較して、より長い用紙Ｐをも巻き付けることができる。
【０１１４】
そして、巻き付いている用紙Ｐを解く際、少なくとも巻き付ける際の回転数、および解
く際に回転ドラム８が回転移動したときの移動後の巻き付けローラー（２２〜２４）から
第２搬送ローラー対４８までの距離を考慮した分の回転数だけ巻き付けローラー（２２〜
２４）を逆回転するように設けることが可能である。  
尚、巻き付けたときの用紙Ｐの後端を先頭にして用紙Ｐを第２搬送ローラー対４８まで
送った後、弧状ギア８２とピニオン（８３〜８５）との噛み合いが解除されて巻き付けロ
ーラー（２２〜２４）がフリーな状態となるようにしてもよい。第２搬送ローラー対４８
が用紙Ｐを送り方向下流側に引っ張ることにより、巻き付けローラー（２２〜２４）から
用紙Ｐを完全に解くことができるからである。  
ここで、用紙Ｐの後端側は、巻き付けられた状態では巻き付けローラー（２２〜２４）
の外周に沿って撓んでいるが、解かれることによって真っ直ぐな姿勢に戻ろうとする。
【０１１５】
従って、巻き付けたときの用紙Ｐの後端を先頭して用紙Ｐを、第２用紙ガイド部４９を
介して第２搬送ローラー対４８へ送ることができる。  
その結果、前述した他の実施形態３（図１３参照）と比較して、より長い用紙Ｐであっ
ても確実に解くことができる。そして、より長い用紙Ｐを送り方向下流側へ送ることがで
きる。  
即ち、前述した他の実施形態３では、長さが異なる用紙に対応することができなかった
が、他の実施形態４の反転部８１では、長さが異なる用紙にも対応することができる。
【０１１６】
具体的には、対応することができる最長の用紙は、巻き付いている用紙Ｐを解く際の逆
転開始時に、第２用紙ガイド部４９の入り口に対向する用紙である。即ち、巻き付いたと
きに用紙の後端が巻き付けローラーに完全に巻き付けられていない状態となる用紙である
。そして、それ以下の長さの用紙であって、解く際に挟圧ローラー（１９〜２１）から第
２搬送ローラー対４８までの距離以上の長さの用紙であれば、全ての長さの用紙に対応す
ることができる。  
即ち、巻き付けローラー（２２〜２４）が用紙Ｐを巻き付ける際および解く際の回転数
を多くすることによって対応することができる用紙の長さを広げることができる。
【０１１７】
尚、第２用紙ガイド部４９の下側を回転ドラム８の外周に沿って長く設ける距離は、少
なくとも巻き付けローラー（２２〜２４）が第２用紙ガイド部４９の入り口を通過してか
ら、巻き付けローラー（２２〜２４）が逆方向へ一回転するまでの間に回転ドラム８が回
転移動する距離にすることが望ましい。巻き付いている用紙を解く際、延設された第２用
紙ガイド部４９の下側が、巻き付いた用紙の後端を先頭にして第２用紙ガイド部４９の入
り口へ確実に案内することができるからである。
【０１１８】
また、巻き付いている用紙を解く際の巻き付けローラー（２２〜２４）の逆方向への回
転量が多い場合、第２用紙ガイド部４９の入り口を広げて用紙が撓むことができるように
することが望ましい。用紙を解く際の巻き付けローラー（２２〜２４）による用紙の送り
量と、第２搬送ローラー対４８による送り量との差を吸収することができるからである。
またさらに、第２搬送ローラー対４８を、第１搬送ローラー対と同様にワンウェイクラ
ッチを内蔵する構成としてもよい。係る場合、用紙を解く際の巻き付けローラー（２２〜
２４）によって用紙が送り方向下流側へ押されるように送られたとき、用紙Ｐへのダメー
ジを防止するためである。
【０１１９】
具体的には、送り方向下流側へ用紙Ｐを送るときの回転方向への第２搬送ローラー対４
８のローラーの回転を許容するように設けることができる。即ち、第２搬送ローラー対４
８によって用紙Ｐを所定の速度Ｖ３で送ることができるが、巻き付けローラー（２２〜２
４）側が速度Ｖ３より速い速度Ｖ４で用紙Ｐを押し出すように送ったとき、第２搬送ロー
ラー対４８はそれを許容することができる。
【０１２０】
他の実施形態４の媒体反転装置としての反転部８１は、回転する回転ドラム８と、回転
ドラム８における回転ドラム８の回転支点の周りに複数設けられたローラーとしての第１
巻き付けローラー２２〜第３巻き付けローラー２４と、を備え、第１巻き付けローラー２
２〜第３巻き付けローラー２４は、回転ドラム８が回転する際、それぞれ順に送り方向上
流側から送られてきた用紙Ｐを、一の方向へ回転することにより該用紙Ｐの送り方向下流
側である先端側から巻き、前記一の方向と逆方向へ回転することにより巻いた用紙Ｐを解
き、該用紙Ｐを巻いたときの後端を先頭にして送り方向下流側へ送ることを特徴とする。
【０１２１】
また、本発明は上記実施例に限定されることなく、特許請求の範囲に記載した発明の範
囲内で、種々の変形が可能であり、それらも本発明の範囲内に含まれるものであることは
言うまでもない。
【符号の説明】
【０１２２】
１  プリンター、２  載置部、３  給送部、４  第１記録部、４ａ  記録ユニット、
５  反転部、６  第２記録部、６ａ  記録ユニット、７  排出部、８  回転ドラム、
９  太陽ギア、９ａ  歯部、９ｂ  歯無し部、１０  第１外周面部、
１１  第２外周面部、１２  第３外周面部、１３  第１従動ローラー、
１４  第２従動ローラー、１５  第３従動ローラー、１６  第１案内部、１６ａ  端部、
１７  第２案内部、１７ａ  端部、１８  第３案内部、１８ａ  端部、
１９  第１挟圧ローラー、２０  第２挟圧ローラー、２１  第３挟圧ローラー、
２２  第１巻き付けローラー、２３  第２巻き付けローラー、
２４  第３巻き付けローラー、２５  第１遊星ギア、２６  第２遊星ギア、
２７  第３遊星ギア、２８  ドラム側プーリー、２９  カム、３０  大径部、
３１  第１凹部、３２  第２凹部、３３  第３凹部、３４  第１ギア、３５  第２ギア、
３６  従動プーリー、３７  揺動アーム部、３８  カムフォロア、３９  排出ローラー、
４０  モーター、４１  ピニオンギア、４２  第１歯付きベルト、
４３  第２歯付きベルト、４４  第１動力伝達手段、４５  第２動力伝達手段、
４６  第１搬送ローラー対、４７  第１用紙ガイド部、４８  第２搬送ローラー対、
４９  第２用紙ガイド部、５０  センサー、５１  （他の実施形態１の）反転部、
５２  回転ドラム、５３  第１ギア、５４  揺動アーム部、５５  従動プーリー、
６１  （他の実施形態２の）反転部、６２  巻き付けローラー、
６３  第１挟圧ローラー、６４  第２挟圧ローラー、６５  案内部、
７１  （他の実施形態３の）反転部、７２  第３ギア、７３  第４ギア、
７４  第５ギア、７５  従動プーリー、７６  揺動アーム部、７７  排出ローラー、
７８  第１ベルト機構、７９  第２ベルト機構、８０  第３ベルト機構、
８１  （他の実施形態４の）反転部、８２  弧状ギア、８３  第１ピニオン、
８４  第２ピニオン、８５  第３ピニオン、Ｐ  用紙、Ｐ１  後続の用紙、
Ｐ２  さらに後続の用紙、Ｒ１  第１経路、Ｒ２  第２経路、Ｒ３  第３経路、
Ｒ４  第４経路、Ｒ５  第５経路、Ｒ６  第６経路、Ｒ７  第７経路、Ｒ８  第８経路、
Ｒ９  第９経路、Ｒ１０  第１０経路、Ｘ  用紙の幅方向、Ｙ  送り方向
【先行技術文献】
【特許文献】
【０１２３】
【特許文献１】特開２００４−３１５１９５号公報
【図１】
2011006193.tif 000003
【図２】
2011006193.tif 000004
【図３】
2011006193.tif 000005
【図４】
2011006193.tif 000006
【図５】
2011006193.tif 000007
【図６】
2011006193.tif 000008
【図７】
2011006193.tif 000009
【図８】
2011006193.tif 000010
【図９】
2011006193.tif 000011
【図１０】
2011006193.tif 000012
【図１１】
2011006193.tif 000013
【図１２】
2011006193.tif 000014
【図１３】
2011006193.tif 000015
【図１４】
2011006193.tif 000016
【図１５】
2011006193.tif 000017